(57)【特許請求の範囲】
【請求項１】
魚介類が飼育されている水槽からの水が供給される供給口と、
前記供給口に供給された前記水を排出する第１の多孔管と、
前記水に含有されるアンモニアを硝化する硝化細菌が中空の内表面に付着された筒状の複数の中空濾材を有し、前記複数の中空濾材の外表面同士が夫々隙間なく隣接して配列され、硝化槽内に固定配置される第１のフィルタと、
前記硝化細菌が付着され、前記複数の中空濾材の夫々の上側から下側へ前記第１の多孔管から排出された前記水を略均等に供給して、前記硝化細菌を前記複数の中空濾材の内表面上に移動させることにより、前記複数の中空濾材の内表面に付着されている前記硝化細菌を増殖させる第２のフィルタと、
前記第１の多孔管から排出された前記水に含有される懸濁物を除去する大きさの網目を有するシート形状を呈し、前記懸濁物を除去した前記水を前記第２のフィルタに供給する第３のフィルタと、
前記複数の中空濾材の下側から上側へ酸素を供給する第２の多孔管と、
前記第１のフィルタの下側から得られる前記水を排出する排出口と、
を備えたことを特徴とする硝化槽。
【請求項２】
前記魚介類は、フグ類である
ことを特徴とする請求項１に記載の硝化槽。
【請求項３】
請求項１に記載の硝化槽と、
前記水槽からの水が供給され、当該水に含有される沈殿物を除去する沈殿槽と、
前記沈殿槽を通過した後の前記水に含有される前記沈殿物よりも小さい固形物を除去するフィルタ装置と、
前記フィルタ装置を通過した後の前記水に空気を供給する曝気槽と、を備え、
硝化槽は、前記曝気槽から前記供給口に前記水が供給されることを特徴とする排水処理システム。
【発明の詳細な説明】
【技術分野】
【０００１】
本発明は、硝化槽及び排水処理システムに関する。
【背景技術】
【０００２】
例えば、魚介類を飼育する水槽内には、魚介類の食べ残した餌や排出物等に起因して、アンモニアが発生する。このアンモニアは魚介類にとって有害であり、水槽内に蓄積されると魚介類の成育を妨げる虞がある。そこで、水槽中の水に含有されるアンモニアを硝化細菌によって硝化して、魚介類に比較的無害な硝酸とする硝化槽が知られている（例えば、特許文献１を参照）。この硝化槽は、例えば表面に硝化細菌が付着したカキ殻やプラスチック等の濾材を備えている。そして、水槽から供給された水がこの濾材の表面に接触しながら硝化槽を通過することで、水中のアンモニアが硝化される。
【先行技術文献】
【特許文献】
【０００３】
【特許文献１】特開平５−７６２５７号広報
【発明の概要】
【発明が解決しようとする課題】
【０００４】
しかしながら、前述した硝化槽では、水槽から供給された水の流れによって濾材が移動し、硝化槽内の濾材の密度が偏ってしまう虞がある。硝化槽内の濾材の密度が偏ると、例えば密度が高くなった箇所では水の流れが滞り、密度が低くなった箇所では水が濾材の表面と効率よく接触しないまま硝化槽を通過してしまう虞がある。このため、効率よくアンモニアを硝化することができない虞がある。
【０００５】
本発明はかかる課題に鑑みてなされたものであり、その目的とするところは、アンモニアを効率よく硝化できる硝化槽及び排水処理システムを提供することにある。
【課題を解決するための手段】
【０００６】
前記課題を解決するための発明は、魚介類が飼育されている水槽からの水が供給される供給口と、前記供給口に供給された前記水を排出する第１の多孔管と、前記水に含有されるアンモニアを硝化する硝化細菌が中空の内表面に付着された筒状の複数の中空濾材を有し、前記複数の中空濾材の外表面同士が夫々隙間なく隣接して配列され、硝化槽内に固定配置される第１のフィルタと、前記硝化細菌が付着され、前記複数の中空濾材の夫々の上側から下側へ前記第１の多孔管から排出された前記水を略均等に供給して、前記硝化細菌を前記複数の中空濾材の内表面上に移動させることにより、前記複数の中空濾材の内表面に付着されている前記硝化細菌を増殖させる第２のフィルタと、前記第１の多孔管から排出された前記水に含有される懸濁物を除去する大きさの網目を有するシート形状を呈し、前記懸濁物を除去した前記水を前記第２のフィルタに供給する第３のフィルタと、前記複数の中空濾材の下側から上側へ酸素を供給する第２の多孔管と、前記第１のフィルタの下側から得られる前記水を排出する排出口と、を備えた硝化槽である。
【０００７】
本発明の他の特徴については、添付図面及び本明細書の記載により明らかとなる。
【発明の効果】
【０００８】
本発明によれば、アンモニアを効率よく硝化できる硝化槽及び排水処理システムを提供することができる。
【図面の簡単な説明】
【０００９】
【図１】本実施形態にかかる排水処理システムを備える養殖システムの構成を示す模式図である。
【図２】本実施形態にかかる硝化槽の上面図である。
【図３】網目状濾材の模式図である。
【図４】ハニカム濾材の斜視図である。
【図５】図１に示す養殖システムにおいてトラフグを養殖した場合の給餌量と水槽中のアンモニア態窒素濃度との関係を示す図である。
【発明を実施するための形態】
【００１０】
本明細書及び添付図面の記載により、少なくとも以下の事項が明らかとなる。
【００１１】
<<<養殖システムについて>>>
本実施形態にかかる排水処理システムは、例えばトラフグ等の魚介類を養殖するための養殖システムに備えられる。そこで、先ず、図１を参照して、本実施形態にかかる排水処理システム１０を備える養殖システム１について説明する。
【００１２】
養殖システム１は、水槽２と、排水処理システム１０と、ポンプ７と、冷温水器８とを備えている。水槽２では、例えばトラフグが飼育される。これに伴って、水槽２内の水にはトラフグの食べ残した餌（残餌）や排出物等の固形分が含有されると共に、この残餌や排出物に起因するアンモニア（アンモニア態窒素）が含有される。
【００１３】
排水処理システム１０は、水槽２から水が供給され、この水に含有される固形分及びアンモニアを除去する。なお、排水処理システム１０の詳細については後述する。
【００１４】
ポンプ７は、水槽２と排水処理システム１０との間に水を循環させる。つまり、水槽２から排水処理システム１０に固形分及びアンモニアを含有する水を供給し、排水処理システム１０で固形分及びアンモニアが除去された水を水槽２へ戻している。
【００１５】
冷温水器８は、ヒートポンプ等を備え、トラフグの飼育に適した温度となるように水槽２内の水温を調節する。
【００１６】
<<<排水処理システムについて>>>
以下、排水処理システム１０について具体的に説明する。排水処理システム１０は、沈殿槽３と、ドラムフィルタ４（フィルタ装置）と、曝気槽５と、硝化槽６とを備えている。
【００１７】
沈殿槽３は、水槽２から水が供給され、この水に含有される固形分のうち残餌や糞の集合体等からなる沈殿物を除去する。例えば、沈殿槽３は、底面及び上面を備える中空の円筒形状を呈する処理水槽（不図示）を有している。この処理水槽の底面側には内周面と外周面との間を貫通する貫通孔が設けられ、この貫通孔から水が内周面に沿って回転するように供給される。これによって、処理水槽の内部では渦巻き流が生じ、水より比重の大きい沈殿物が効率よく沈降する。沈降した沈殿物は処理水槽の底面側において捕集される。また、沈殿物と分離された水は処理水槽の上面側に設けられた内周面と外周面との間を貫通する貫通孔から排出される。
【００１８】
ドラムフィルタ４は、沈殿槽３を通過して沈殿物が除去された水が供給され、この水に含有される固形分のうち、例えば沈殿物よりも小さく約９０μｍよりも大きい固形物を除去する。例えば、ドラムフィルタ４は、金属等からなり、中空の円筒形状を呈するフィルタを備えている。このフィルタの周面には、約９０μｍの大きさの網目が形成されている。また、このフィルタは、中空の円の中心を通る軸心が水平方向を向くと共に、この軸心周りに回転自在となるようにケーシング内に支持されている。そして、モータの駆動力等によって回転しているフィルタの内部に沈殿槽３からの水が供給されることで、フィルタの内部に固形物が残り、フィルタの外部に固形物が除去された水が排出される。
【００１９】
尚、ドラムフィルタ４は、フィルタの内部に残った固形物によって網目が塞がれ、フィルタ内の水位が一定値以上となると、沈殿槽３からの水の供給を一時的に停止して、例えばフィルタの外部から内部に向かって洗浄水が噴射されるようになっている。つまり、いわゆる逆洗機能を有している。これによって、フィルタの目詰まりが自動的に解消され、効率よく水中の固形物を除去することができる。
【００２０】
曝気槽５は、ドラムフィルタ４を通過した後の水に空気を供給する。例えば、曝気槽５は、ドラムフィルタ４からの水を貯留し、この水に対して不図示のブロワ等によって空気を送る。これによって、水中の溶存酸素の量を増やすことができる。
【００２１】
硝化槽６は、曝気槽５で空気が供給された水に含有されるアンモニアを硝化細菌によって硝化する。
【００２２】
<<<硝化槽について>>>
以下、図１及び図４を参照して硝化槽６について具体的に説明する。硝化槽６は、供給口６０と、第１の多孔管６１と、シート状フィルタ６２（第３のフィルタ）と、プラスチック濾材６３（第２のフィルタ）と、ハニカム濾材６４（第１のフィルタ）と、第２の多孔管６５と、排出口６６と、硝化槽本体６７と、ブロック６８と、グレーチング６９とを備えている。
【００２３】
図１及び図２に示すように、硝化槽本体６７は例えば繊維強化プラスチック（ＦＲＰ）からなり、上部が開口した箱形状を呈している。硝化槽本体６７の幅方向を形成する一対の側壁のうち、一方の側壁の上側に供給口６０が設けられ、他方の側壁の下側に排出口６６が設けられている。また、硝化槽本体６７の内部には上側から順に、第１の多孔管６１、シート状フィルタ６２、プラスチック濾材６３、ハニカム濾材６４、グレーチング６９、第２の多孔管６５、ブロック６８が収容されている。そして、硝化槽本体６７の内部に収容されたこれらの構成と、硝化槽本体６７の排出口６６が設けられた側壁との間には管理用空間６７ａが形成されている。また、硝化槽本体６７の供給口６０が設けられた側壁には曝気槽５が隣接している。
【００２４】
供給口６０は、曝気槽５からの水を第１の多孔管６１に供給するべく、例えば曝気槽５及び硝化槽本体６７を連通する貫通孔であり、第１の多孔管６１の一端側が挿通されている。例えば、図２に示すように、供給口６０は硝化槽本体６７の幅方向に略等間隔となるように３つ設けられている。
【００２５】
第１の多孔管６１は、例えば金属や樹脂等からなり、周面に長手方向に沿って複数列の穿孔６１ａが設けられた管形状を呈している。例えば、図２に示すように、第１の多孔管６１は、供給口６０から硝化槽本体６７の長さ方向に夫々延在する３本からなり、曝気槽５からの水が供給口６０を介して分配される。そして、第１の多孔管６１は、供給口６０から供給された水を複数の穿孔６１ａによって分散しながら排出することで、硝化槽本体６７の全体に水を供給する。
【００２６】
シート状フィルタ６２は、第１の多孔管６１から排出された水に含有される例えば約９０μｍより小さく約１０μｍより大きい懸濁物を除去する。例えば、シート状フィルタ６２は、繊維状の樹脂等からなり、約１０μｍの大きさの網目を有するシート形状を呈している。そして、第１の多孔管６１の下側において、硝化槽本体６７の水平方向に広がるようにプラスチック濾材６３の上側全体を覆っている。
【００２７】
プラスチック濾材６３は、例えば樹脂からなる約６ｃｍ四方の網目状濾材６３ａ（図３参照）が複数積み重ねられて一体に形成された直方体形状を呈している。また、プラスチック濾材６３の表面には、アンモニアを硝化する硝化細菌が付着されている。尚、硝化細菌は固形担体に付着する性質を有しているため、例えば硝化細菌が存在する水槽内にプラスチック濾材６３を浸しておくことで、プラスチック濾材６３の表面に硝化細菌が付着される。
【００２８】
このプラスチック濾材６３は、シート状フィルタ６２の下側であって、ハニカム濾材６４の上側全体に複数敷き並べられている。このため、シート状フィルタ６２を通過した水は、プラスチック濾材６３の表面に接触して隣り合うプラスチック濾材６３に伝わりながら、ハニカム濾材６４に向かって流れる。つまり、プラスチック濾材６３を通過した水は、硝化槽本体６７の水平方向に分散されて排出される。このため、プラスチック濾材６３はシート状フィルタ６２からの水を硝化してハニカム濾材６４に略均等となるように供給する。
【００２９】
尚、図２に示す硝化槽６の上面図では、説明の便宜上、シート状フィルタ６２及びプラスチック濾材６３を省略している。
【００３０】
ハニカム濾材６４は、図４に示すように、例えば樹脂からなり、中空の六角柱形状を呈する複数の中空濾材６４ａを有している。この複数の中空濾材６４ａは夫々、両端の開口が上側及び下側を向き、外表面同士が隙間なく隣接するように配列した状態で硝化槽本体６７内に固定配置されている。
【００３１】
例えば、中空濾材６４ａ夫々の六角形状の開口の中空を挟んで対向する頂点同士の距離（図２の矢印Ａで示す長さ、セルサイズ）は約１３ｍｍとなっている。また、ハニカム濾材６４は、複数の中空濾材６４ａが互いに外表面を共有するように一体に形成された形状を呈している。このハニカム濾材６４は、幅方向の両端側から加えられる力に対して弾性を有すると共に水よりも大きい比重を有している。このため、例えば先ず、弾性力に抗する力を加えて収縮した状態のハニカム濾材６４を硝化槽本体６７内に隙間なく設置する。そして、この弾性力に抗する力を解放することで、ハニカム濾材６４の外表面が硝化槽本体６７の内壁に押し付けられるように接触する。これによって、ハニカム濾材６４は硝化槽本体６７に対して水流等によって移動することがないように固定配置されている。
【００３２】
尚、これに限らず、複数の中空濾材６４ａは例えば接着剤等によって硝化槽本体６７内に固定配置されていてもよい。
【００３３】
また、複数の中空濾材６４ａ夫々の内表面には硝化細菌が付着されている。尚、例えば、硝化細菌が付着されたプラスチック濾材６３から中空濾材６４ａへ水が供給されると、硝化細菌がプラスチック濾材６３から中空濾材６４ａの内表面上に移動して増殖する。これによって、複数の中空濾材６４ａ夫々の内表面に硝化細菌が付着される。
【００３４】
ハニカム濾材６４にはプラスチック濾材６３から略均等に水が供給されるため、この水が複数の中空濾材６４ａ夫々の内表面に接触しながら上側から下側へ流れる。これによって、水中のアンモニアが効率よく硝化される。つまり、プラスチック濾材６３からの水がハニカム濾材６４を通過することでアンモニアが酸化されて硝酸（硝酸態窒素）となるため、トラフグにとって有害なアンモニアが除去された水がハニカム濾材６４の下側から得られる。
【００３５】
尚、本実施形態においては、ハニカム濾材６４の径を例えば１３ｍｍとして説明したが、説明の便宜上、図２では、ハニカム濾材６４のハニカム形状がわかる程度の大きさに記載されている。
【００３６】
第２の多孔管６５は、例えば金属や樹脂等からなり、周面に長手方向に沿って複数の穿孔６５ａが設けられた管形状を呈している。例えば、第２の多孔管６５は、硝化槽本体６７内のハニカム濾材６４の下側において、硝化槽本体６７の長さ方向に延在する３本からなり、硝化槽本体６７の幅方向に互いに略等間隔となるように配置されている。そして、第２の多孔管６５は、一端側から不図示のブロワ等によって空気が送り込まれることで穿孔６５ａから空気を排出し、中空濾材６４ａの下側から上側へ酸素を供給する。
【００３７】
これによって、中空濾材６４ａの上側から下側に向かう水の流れを抑制することや、下側から上側へ向かう水の流れを発生することができる。このため、中空濾材６４ａの内表面と水との接触時間及び接触機会を増やして、アンモニアを効率よく硝化することができる。また、硝化槽本体６７内の水の溶存酸素量を増やすことができ、硝化細菌が好気的に保たれるため、アンモニアを効率よく硝化することができる。
【００３８】
尚、この第２の多孔管６５からの空気の供給は、連続的に行われていても、断続的に行われていてもよい。また、第２の多孔管６５は、特定の中空濾材６４ａのみに空気を供給することとしてもよい。
【００３９】
ブロック６８は、例えば樹脂やコンクリート等の水より比重の大きい材料からなる直方体形状を呈し、硝化槽本体６７内の底面上に配置されている。グレーチング６９は例えば樹脂等の水より比重の大きい材料からなる格子形状を呈し、ブロック６８の上に配置されている。そして、グレーチング６９の上には、ハニカム濾材６４が配置されている。つまり、ハニカム濾材６４は、ブロック６８及びグレーチング６９によって第２の多孔管６５の上に固定配置され、第２の多孔管６５から排出された空気は、グレーチング６９の格子の間を通ってハニカム濾材６４に供給されている。
【００４０】
排出口６６は、硝化槽本体６７の内側面と外側面との間を貫通する貫通孔であり、排出口６６を介して、ハニカム濾材６４の下側から得られる水を硝化槽本体６７から排出する。排出口６６から排出された水はポンプ７に供給される。
【００４１】
管理用空間６７ａは、ポンプ７の吸い込み口である排出口６６を管理するために設けられている。例えば排出口６６に異物が詰まった場合、不図示の清掃用具等により、管理用空間６７ａを介して、排出口６６を清掃することが可能になっている。
【００４２】
<<<養殖システムにおける養殖試験結果について>>>
本実施形態にかかる排水処理システム１０を備える養殖システム１において、稚魚期から成魚期までの約１年３ヶ月の間トラフグの養殖試験を実施し、トラフグの給餌量と水槽２中のアンモニア態窒素濃度との関係を調べた。図５を参照してこの養殖試験の結果について説明する。
【００４３】
尚、養殖システム１の各構成に貯留される水量は、水槽２では２６．８ｍ３、曝気槽５及び硝化槽６では７．５ｍ３、沈殿槽３では０．３ｍ３とし、各構成を繋ぐ配管部分を含めた合計水量は３５ｍ３とした。また、養殖システム１では、ポンプ７によって２４３ｌ／minの流量の水が循環することとし、水槽２で飼育するトラフグの個体数を１０２９尾とした。
【００４４】
結果、図５に示すように、養殖システム１ではトラフグが成長するごとに給餌量が増加するため排出物等の量は増加するが、この給餌量の増加に伴うアンモニア態窒素濃度の増加は見られず、常に１mg/Lを下回った。よって、排水処理システム１０によって効率よくアンモニアが硝化され、水槽２内の水がトラフグの成育に適したアンモニア態窒素濃度に維持されたことがわかった。
【００４５】
以上より、本実施形態にかかる硝化槽６では、水槽２からのアンモニアを含有する水が、供給口６０を介して第１の多孔管６１に供給される。そして、第１の多孔管６１の穿孔６１ａから排出された水がシート状フィルタ６２を介してプラスチック濾材６３に供給され、プラスチック濾材６３を通過した水がハニカム濾材６４に供給される。
【００４６】
第１の多孔管６１では、穿孔６１ａによって水を分散して、シート状フィルタ６２に供給することができる。このため、シート状フィルタ６２全体の網目を用いて、水中の懸濁物を効率よく捕捉することができる。そして、シート状フィルタ６２によって懸濁物が除去された水を複数のプラスチック濾材６３の全体に供給することができる。これによって、プラスチック濾材６３の網目が懸濁物によって塞がれることを防止できると共に、プラスチック濾材６３の表面に効率よく水が接触するため、アンモニアを効率よく硝化することができる。
【００４７】
また、プラスチック濾材６３を通過することによって分散された水が、ハニカム濾材６４に供給されることで、複数の中空濾材６４ａ夫々に略均等に水が供給される。さらに、中空濾材６４ａは硝化槽本体６７内に固定配置されているため、水流等によって硝化槽本体６７内で密度が偏ることを抑制できる。よって、複数の中空濾材６４ａ夫々の内表面に効率よく水が接触するため、アンモニアを効率よく硝化することができる。
【００４８】
また、本実施形態にかかる排水処理システム１０では、トラフグを飼育する水槽２からの水を浄化することとした。トラフグの糞は他の魚介類に比べて小さいため、シート状フィルタ６２の網目の大きさを約１０μｍとすることで、水中において懸濁物となった糞を効率よく除去することができる。これによって、プラスチック濾材６３の目詰まり等を防止して、水中のアンモニアを効率よく硝化することができる。また、トラフグの糞等が集合して形成された約９０μｍ以上の固形物をドラムフィルタ４によって除去した後の水をシート状フィルタ６２に供給する。これによって、シート状フィルタ６２の目詰まり等を効果的に防止して、水中の固形分を効率よく除去することができる。さらに、トラフグの糞の大きさに応じた固形物の大きさに合わせて、ドラムフィルタ４のフィルタの網目の大きさを約９０μｍとすることで、ドラムフィルタ４の逆洗機能が効果的に働いて、水中の固形分を効率よく除去することができる。
【００４９】
また、本実施形態にかかる排水処理システム１０を備える養殖システム１では、水槽２と排水処理システム１０との間で水を循環している。つまり、水槽２でトラフグを飼育するための水を排水処理システム１０で浄化しながら繰り返し使用する、いわゆる循環濾過方式が採用されている。これによって、冷温水器８等によって容易に水槽２内の水温を調整することができると共に、外部から病原菌が混入した水が供給されることを防止できるため、効率よくトラフグを成育することができる。また、トラフグの養殖によって発生する排水を減らすことができ、環境負荷を低減できる。
【００５０】
<<<その他の実施形態について>>>
前述した実施形態は、本発明の理解を容易にするためのものであり、本発明を限定して解釈するためのものではない。本発明は、その趣旨を逸脱することなく変更、改良されると共に、本発明にはその等価物も含まれる。
【００５１】
本実施形態にかかる硝化槽６のハニカム濾材６４は、中空の六角柱形状を呈する複数の中空濾材６４ａが隙間なく隣接して形成されることとしたが、特にこれに限定されるものではない。例えば、ハニカム濾材６４は、中空の四角柱形状や三角柱形状等の筒状を呈する複数の中空濾材が隙間なく隣接して形成されていてもよい。
【００５２】
また、本実施形態にかかる硝化槽６では、プラスチック濾材６３を約６ｃｍ四方の網目状濾材６３ａが複数積み重ねられて形成されていることとしたが、特にこれに限定されるものではなく、例えば表面に硝化細菌が付着されたカキ殻等であってもよい。
【００５３】
また、本実施形態にかかる硝化槽６では、シート状フィルタ６２を備えることとしたが、特にこれに限定されるものではない。例えば、硝化槽６はシート状フィルタ６２を備えず、第１の多孔管６１の穿孔６１ａから排出された水が直接プラスチック濾材６３に供給されることとしてもよい。この場合、硝化槽６には、懸濁物が取り除かれた水が供給されることが好ましいため、マイクロフィルタ４の後段であって、硝化槽６の前段となる位置にシート状フィルタ６２が設けられることが好ましい。
【００５４】
また、本実施形態にかかる硝化槽６では、中空濾材６４ａは硝化槽本体６７に固定配置されることとしたが、特にこれに限定されるものではない。例えば、水流等によって硝化槽本体６７内で中空濾材６４ａの密度が偏ることが抑制される程度に、硝化槽本体６７内に固定されていない複数の中空濾材６４ａが満たされてもよい。
【００５５】
また、本実施形態にかかる排水処理システム１０は、いわゆる循環濾過方式の養殖システム１に備えられることとしたが、特にこれに限定されるものではない。排水処理システム１０は、水槽２で使用した水を海等に排水して魚介類を養殖する、いわゆる掛け流し方式の養殖システムにおいて、排水中に含有されるアンモニアを硝化することとしてもよい。また、トラフグ以外の魚介類を養殖する養殖システムに備えられてもよい。また、排水処理システム１０は、魚介類を養殖するための養殖システムに限らず、水中のアンモニアを硝化する必要があるものに適用することができる。
【符号の説明】
【００５６】
１…養殖システム，２…水槽，３…沈殿槽，４…ドラムフィルタ，５…曝気槽，６…硝化槽，７…ポンプ，８…冷温水器，１０…排水処理システム，６０…供給口，６１…第１の多孔管，６１ａ、６５ａ…穿孔，６２…シート状フィルタ，６３…プラスチック濾材，６３ａ…網目状濾材，６４…ハニカム濾材，６４ａ…中空濾材，６５…第２の多孔管，６６…排出口，６７…硝化槽本体，６７ａ…管理用空間，６８…ブロック，６９…グレーチング
【図１】
0005492621.tif 000002
【図２】
0005492621.tif 000003
【図３】
0005492621.tif 000004
【図４】
0005492621.tif 000005
【図５】
0005492621.tif 000006